(57)【特許請求の範囲】
【請求項１】
口頸部(６)を起立する容器体(２)と、
口頸部(６)に装着され、容器体(２)内へ垂設したシリンダ(３０)を含むシリンダ部材(２０)と、
シリンダ(３０)内面を摺動する筒状ピストン(４２)を有するとともにシリンダ(３０)上方へ起立する縦筒部(４１)を有し、この縦筒部(４１)の上端側を、操作ヘッド(７０)の下面側に液密に嵌合させてなり、操作ヘッド(７０)の上面に吐出口(７６)を開口させた作動部材(４０)と、
を備え、
作動部材(４０)の上下動により容器体(２)から第１逆止弁(Ｖ１)を介してシリンダ(３０)内へ液体を吸い上げるとともに、シリンダ(３０)内の液体を、第２逆止弁(Ｖ２)を介して吐出口(７６)から吐出するように構成したポンプ容器であって、
操作ヘッド(７０)の内部に配置されて、吐出口(７６)の周囲部分(７８)裏面へ上方付勢状態で圧接されて吐出口(７６)を閉塞する栓体(８０)を設け、
操作ヘッド(７０)の吐出口(７６)の周囲裏面に操作ヘッド(７０)の押し下げにより、栓体(８０)を下降させる押圧面(Ｄ)と、
栓体(８０)の下面と縦筒部(４１)の上端側の対応箇所に、栓体(８０)の下降により、相互にスライドして栓体(８０)を周方向一方へ回転させるように形成した一対の第１係合面(Ｓ１Ｕ、Ｓ１Ｌ)と、
操作ヘッド(７０)の裏面側と栓体(８０)の上面との対応箇所に、栓体(８０)の回転により、相互にスライドして、栓体(８０)を操作ヘッド(７０)に対してさらに下降させるように形成した一対の第２係合面(Ｓ２Ｕ、Ｓ２Ｌ)とをそれぞれ設け、
操作ヘッド(７０)の押下げ解放により吐出口(７６)が閉じるように構成したことを特徴とする、ポンプ容器。
【請求項２】
上記吐出口(７６)は上方から見て円形であるとともに、栓体(８０)の上面中央部に吐出口(７６)内へ嵌合可能な凸状の栓部(８２ｂ)を形成し、この栓部(８２ｂ)が回転しながら吐出口(７６)から離脱可能し、或いは嵌合されるように設けたことを特徴とする、ポンプ容器。
【請求項３】
上記吐出口(７６)の周囲部分(７８)裏面を、栓体(８０)の外周部(８２ａ)の形に対応して凹設させて、この外周部(８２ａ)の上面と周囲部分(７８)裏面とを密接させるともに、操作ヘッド(７０)を押し下げたときには、この周囲部分(７８)裏面が上記押圧面(Ｄ)として栓体８０を押し下げるように構成したことを特徴とする、請求項２に記載のポンプ容器。
【請求項４】
上記縦筒部(４１)は、有底筒状のピストンガイド(４４)の下部外面に対して昇降可能に装着させた筒状ピストン(４２)が、シリンダ(３０)内面を摺動するように設け、そのピストンガイド(４４)の上部へ下半部を嵌合させてシリンダ(３０)上方へステム(４６)を起立してなり、
このステム(４６)の上部に操作ヘッド(７０)を連結するとともに、
ピストンガイド(４４)の下部に形成した弁座(４４ｃ)と筒状ピストン(４２)の下部とで第２逆止弁(Ｖ２)を形成するとともに、この第２逆止弁(Ｖ２)を、ピストンガイド(４４)の内部に形成される液体通路を経由して、吐出口(７６)へ連通させるように形成し、
ピストンガイド(４４)内に、ピストンガイド(４４)の内圧の発生により上記液体通路の容積を増加させ、かつピストンガイド(４４)の内圧の解消により、液体通路の容積が元の状態に復帰する容積調整機構(９４)を設けたことを特徴とする、請求項１から請求項３のいずれかに記載のポンプ容器。
【請求項５】
上記容積調整機構(９４)は、ピストンガイド(４４)の内面下部に外周部を昇降可能にかつ密嵌させた水平な隔壁(９６)と、これら隔壁(９６)の下面から突設した複数のバネ板(９８)とからなることを特徴とする、請求項４に記載のポンプ容器。
【発明の詳細な説明】
【技術分野】
【０００１】
本発明は、ポンプ容器、特に大径の操作ヘッドを有するプッシュ式容器として適したポンプ容器に関する。
【背景技術】
【０００２】
この種容器として、口頸部を起立する容器体と、口頸部に装着するとともに容器体内へ垂設したシリンダを含むシリンダ部材と、シリンダ内面を摺動する筒状ピストンを有するとともにシリンダ上方へ起立する縦筒部を有し、この縦筒部の上端側に形成したシール筒部を、操作ヘッドの下面側から垂下する連結筒部に液密に嵌合させてなり、操作ヘッドの上面中央部に吐出口を開口させた作動部材とを備え、作動部材の上下動により容器体から第１逆止弁を介してシリンダ内へ液体を吸い上げるとともに、シリンダ内の液体を、第２逆止弁を介して吐出口から吐出するように構成したものが知られている（特許文献１）。
【先行技術文献】
【特許文献】
【０００３】
【特許文献１】特開２０１０−２７４９６４
【発明の概要】
【発明が解決しようとする課題】
【０００４】
上記の容器は、吐出口が常時開口であるため、吐出口の縁面に付着した内容物が乾燥などにより固化してしまう可能性があった。これを回避するためには、ポンプ装置の操作ヘッドを覆うオーバーキャップの頂壁裏面に栓を付設し、開口部を閉栓することが知られている。しかしながら、いちいちオーバーキャップを装着するのが面倒であり、利用者に使い勝手が悪いという印象を与えず、違和感なく使用できるポンプ容器が望まれている。
【０００５】
本発明の目的は、操作ヘッドの吐出孔を確実にかつ手数をかけずに閉栓できる機構を備えたポンプ式容器を提供することである。
【課題を解決するための手段】
【０００６】
第１の手段は、口頸部６を起立する容器体２と、
口頸部６に装着され、容器体２内へ垂設したシリンダ３０を含むシリンダ部材２０と、
シリンダ３０内面を摺動する筒状ピストン４２を有するとともにシリンダ３０上方へ起立する縦筒部４１を有し、この縦筒部４１の上端側を操作ヘッド７０の下面側に液密に嵌合させてなり、操作ヘッド７０の上面に吐出口７６を開口させた作動部材４０と、
を備え、
作動部材４０の上下動により容器体２から第１逆止弁Ｖ１を介してシリンダ３０内へ液体を吸い上げるとともに、シリンダ３０内の液体を、第２逆止弁Ｖ２を介して吐出口７６から吐出するように構成したポンプ容器であって、
操作ヘッド７０の内部に配置されて、吐出口７６の周囲部分７８裏面へ上方付勢状態で圧接されて吐出口７６を閉塞する栓体８０を設け、
操作ヘッド７０の吐出口７６の周囲裏面に操作ヘッド７０の押し下げにより、栓体８０を下降させる押圧面Ｄと、
栓体８０の下面と縦筒部４１の上端側の対応箇所に、栓体８０の下降により、相互にスライドして栓体８０を周方向一方へ回転させるように形成した一対の第１係合面Ｓ１Ｕ、Ｓ１Ｌと、
操作ヘッド７０の裏面側と栓体８０の上面との対応箇所に、栓体８０の回転により、相互にスライドして、栓体８０を操作ヘッド７０に対してさらに下降させるように形成した一対の第２係合面Ｓ２Ｕ、Ｓ２Ｌと、
をそれぞれ設け、
操作ヘッド７０の押下げ解放により吐出口７６が閉じるように構成した。
【０００７】
本手段は、図１に示す操作ヘッド７０の吐出口７６を栓体８０で開閉可能な機構を提案する。栓体８０は、上方付勢状態で吐出口７６の周囲部分７８裏面に圧接しており、かつ栓体８０の下面と縦筒部４１の上端側とで形成した一対の第１係合面Ｓ１Ｕ、Ｓ１Ｌと、操作ヘッド７０の裏面側と栓体８０の上面とにより形成した一対の第２係合面Ｓ２Ｕ、Ｓ２Ｌとで操作ヘッド７０の押圧操作に追従して栓体８０を開閉するように設けている。
【０００８】
第２の手段は、第１の手段を有し、かつ
上記吐出口７６は上方から見て円形であるとともに、栓体８０の上面中央部に吐出口７６内へ嵌合可能な凸状の栓部８２ｂを形成し、この栓部８２ｂが回転しながら吐出口７６から離脱可能し、或いは嵌合されるように設けた。
【０００９】
本手段は、図２に示すように吐出口７６が上方から見て円形であり、栓部８２ｂが回転しながら吐出口へ着脱するように構成している。これにより吐出口７６の口縁への付着物が生じにくいようにしている。
なお、本手段の「嵌合」には、図３に示すように密嵌させる場合の他に、僅かな隙間を存して遊嵌させる場合も含む。後者の構成では、栓部の外周面と吐出口の口面との間に力が作用しないので、図３に示す押圧面Ｄが栓体８０に強く圧接され、シール性が向上する。
【００１０】
第３の手段は、第２の手段を有し、かつ
上記吐出口７６の周囲部分７８裏面を、栓体８０の外周部８２ａの形に対応して凹設させて、この外周部８２ａの上面と周囲部分７８裏面とを密接させるともに、操作ヘッド７０を押し下げたときには、この周囲部分７８裏面が上記押圧面Ｄとして栓体８０を押し下げるように構成した。
【００１１】
本手段は、図１に示す吐出口７６の周囲部分７８裏面を、栓体８０への押圧面Ｄとすることを提案している。これにより栓体８０を安定的にかつ確実の押下げできる。
【００１２】
第４の手段は、第１の手段から第３の手段のいずれかを有し、かつ
上記縦筒部４１は、有底筒状のピストンガイド４４の下部外面に対して昇降可能に装着させた筒状ピストン４２が、シリンダ３０内面を摺動するように設け、そのピストンガイド４４の上部へ下半部を嵌合させてシリンダ３０上方へステム４６を起立してなり、
このステム４６の上部に操作ヘッド７０を連結するとともに、
ピストンガイド４４の下部に形成した弁座４４ｃと筒状ピストン４２の下部とで第２逆止弁Ｖ２を形成するとともに、この第２逆止弁Ｖ２を、ピストンガイド４４の内部に形成される液体通路を経由して、吐出口７６へ連通させるように形成し、
ピストンガイド４４内に、ピストンガイド４４の内圧の発生により上記液体通路の容積を増加させ、かつピストンガイド４４の内圧の解消により、液体通路の容積が元の状態に復帰する容積調整機構９４を設けた。
【００１３】
本手段は、作動部材４０の構成として、ステム４６、ピストンガイド４４を採用するとともに、ピストンガイド４４の内部に容積調整機構を設けている。このような機構を設けないと第２逆止弁Ｖ２から栓体８０まで液体が充填された場合に、栓体８０が下降できずに作動不良を生ずる可能性があるからである。
【００１４】
第５の手段は、第４の手段を有し、かつ
上記容積調整機構９４は、ピストンガイド４４の内面下部に外周部を昇降可能にかつ密嵌させた水平な隔壁９６と、これら隔壁９６の下面から突設した複数のバネ板９８とからなる。
【００１５】
本手段では、図１に示すように容積調整機構９４を隔壁９６の裏面にバネ板９８を付設してなる簡易な構成とすることを提案している。
【発明の効果】
【００１６】
第１の手段に係る発明によれば、栓体８０の下面と縦筒部４１の上端側とで形成した一対の第１係合面Ｓ１Ｕ、Ｓ１Ｌと、操作ヘッド７０の裏面側と栓体８０の上面とにより形成した一対の第２係合面Ｓ２Ｕ、Ｓ２Ｌとで、操作ヘッド７０を押し下げると、操作ヘッド７０に対して栓体８０がさらに下降して吐出口７６が開口するように構成したから、吐出口７６の周囲に内容物が固化しにくい。
第２の手段に係る発明によれば、上方から見て円形である吐出口７６内へ、栓体８０の上面中央部に形成した凸状の栓部８２ｂを嵌合したから、栓部８２ｂを操作ヘッド７０の形態に組み込み、統一感のある外観とすることができ、また栓部８２ｂは回転しながら吐出口７６から離脱し、或いは嵌合するので、さらに吐出口７６の周囲部分に内容物が固化しにくい。
第３の手段に係る発明によれば、上記吐出口７６の周囲部分７８裏面を、栓体８０の外周部８２ａの形に対応して凹設させて、この外周部８２ａの上面と周囲部分７８裏面とを密接させたからシール性が向上し、吐出口７６の周囲部分７８裏面が上記押圧面Ｄとして栓体８０を押し下げるから、安定的な押下げが可能である。
第４の手段に係る発明によれば、ピストンガイドの内部に容積調整機構９４を設けたから、第２逆止弁Ｖ２から吐出口７６に至るまでの流路部分が液体で充填されても、栓体８０が吐出口７６から離れることが可能である。
第５の手段に係る発明によれば、容積調整機構９４を、ピストンガイド４４の内面下部に外周部を昇降可能にかつ密嵌させた水平な隔壁９６と、これら隔壁９６の下面から突設した複数のバネ板９８とで形成したから、簡易な構成でありながら、十分に容積調整機能を発揮できる。
【図面の簡単な説明】
【００１７】
【図１】本発明の第１実施形態に係るポンプ容器の縦断面図である。
【図２】図１のポンプ容器の平面図である。
【図３】図２のＩＩＩ−ＩＩＩ方向から見たポンプ容器の断面の一部拡大図である。
【図４】図２のＩＶ−ＩＶ方向から見たポンプ容器の断面の一部拡大図である。
【図５】図１のポンプ容器の一部品（栓体）の斜視図である。
【図６】図１のポンプ容器の使用状態の各段階を示した図であり、同図（Ａ）は初期段階を、同図（Ｂ）は操作ヘッドの押下げにより吐出口が開いた段階を、同図（Ｃ）は作動部材が下限に到達した段階を、それぞれ示している。
【図７】図６の（Ａ）、（Ｂ）、（Ｃ）に対応して、本発明の要部の様子を示している。
【図８】図１の容器の別の要部の作用説明図である。
【発明を実施するための最良の形態】
【００１８】
図１から図８は、本発明の実施形態に係るポンプ容器を示している。この容器は、容器体２と、装着部材１０と、シリンダ部材２０と、抜止め部材３４と、作動部材４０とからなる。これら各部材は例えば合成樹脂や金属で形成することができる。
【００１９】
容器体２は、本実施形態において、容器部３及び中皿８で構成されている。
容器部３は、有底筒状の胴部４から小外径の口頸部６を起立している。胴部４及び口頸部６の内径は同一であり、中皿８を上方から挿入できるようにしている。
また中皿８は、胴部４の内面に摺動可能な摺動部８ａの外周部に有し、容器部３内の負圧化により、上昇できるように形成している。
もっともこれらの形状は適宜変更することができる。
【００２０】
装着部材１０は、上記口頸部６に装着され、この装着部材１０を介して口頸部６に後述のシリンダ部材２０の周壁部２２を固定している。図示例では、口頸部６の外面に装着筒部１２の下部を嵌合（図示例では螺合）させており、また装着筒部１２の上部を、その下部から段部を介して縮径するように設け、その段部の下面と口頸部６の上面との間に、周壁部２２の後述の鍔部２４及びパッキンＰを挟持するように形成している。また装着筒部１２の上端からは、内下方へ折り返し筒部１４を突出して、この折り返し筒部１４を周壁部２２の上部内面へ嵌着させている。
【００２１】
シリンダ部材２０は、周壁部２２の下面から内方突出する底壁部２６の内端をシリンダ３０の筒壁３０ａに連結している。上記周壁部２２の上下方向中間部には鍔部２４を周設している。また上記筒壁３０ａの下端からは、内向きフランジ３０ｂを内方突出している。
【００２２】
シリンダ３０の底部内には、第１逆止弁体３２を取り付けている。図示例の第１逆止弁体３２は、シリンダ３０の筒壁３０ａ内面の下部に嵌着した枠体から内方突出した複数の弾性支持片で弁板を支承してなる。この弁板とシリンダ３０の内向きフランジ３０ｂとで第１逆止弁Ｖ１を形成している。もっともこれらの構造は、適宜変更することができる。
【００２３】
また上記底壁部２６の上面からは、シリンダ３０を囲む補助筒部２８を起立している。この補助筒部２８の外側には、後述の第１コイルスプリング６６の固定用の複数の縦リブ２８ａを縦設している。また補助筒部２８の内面上部には、抜止め用リブ２８ｂを周設している。
【００２４】
抜止め部材３４は、嵌着筒部３４ａの上端から下内方へ抜止め用筒部３４ｂを折り返すとともに、嵌着筒部３４ａの下端から上外方へテーパ状筒部３４ｃを突出している。そして上記嵌着筒部３４ａをシリンダ３０の筒壁３０ａ外面に嵌着させるとともに、上記抜止め用筒部３４ｂを上記シリンダ３０の筒壁３０ａ上部外面に嵌合させている（図８参照）。また上記テーパ状筒部３４ｃの上端は、上記抜止め用リブ２８ｂの下面に係止させている。
【００２５】
作動部材４０は、シリンダ３０内へ下半部を挿入した縦筒部４１の上端に操作ヘッド７０を取り付けてなる。
【００２６】
上記縦筒部４１は、筒状ピストン４２と、ピストンガイド４４と、ステム４６とで形成している。
【００２７】
上記筒状ピストン４２は外筒部４２ａと内筒部４２ｂとの上下方向中間部を連結部４２ｃで連結してなる。外筒部４２ａの上下両端部は、シリンダ３０の筒壁３０ａ内面に摺接させている。
【００２８】
上記ピストンガイド４４は、図８に示す如く、縦管部４４ｂの下端を底板部４４ａで閉塞するとともに、その底板部４４ａを側外方へ延出して弁座４４ｃとしている。また上記縦管部４４ｂの下部には通液孔４４ｄを開口している。
【００２９】
そして上記ピストンガイド４４の下部を囲むように筒状ピストン４２を配置しており、筒状ピストン４２が、ピストンガイド４４の上部に嵌着されたステム４６の下端と上記弁座４４ｃとの間でピストンガイド４４に対して昇降可能であるように設ける。筒状ピストン４２の内筒部４２ｂの下端と弁座４４ｃの上面とで第２逆止弁Ｖ２を形成している。
【００３０】
ステム４６は、上記ピストンガイド４４の上部に嵌着させて、シリンダ３０上方へ起立している。ステム４６の下端部は大内径部４８を形成しており、この大内径部４８内に上記筒状ピストン４２の内筒部４２ｂの上端を摺動可能に嵌挿させている。ステム４６は、後述の第１コイルスプリング６６によって、上方へ付勢されている。
【００３１】
また操作ヘッド７０は、上記ステム４６の上端部に嵌着している。図示例では、操作ヘッド７０は、中央部に吐出口７６を開口する天板部７３を有し、この天板部７３の周端部からヘッド周壁７２を垂下している。このヘッド周壁７２は、シリンダ部材２０の周壁部２２内へ昇降可能に嵌挿されている。ヘッド周壁７２の下端には、折り返し筒部１４の下端に係止して操作ヘッド７０の抜け出しを防止する係止リブ７２ａを付設する。上記吐出口７６は、ステム４６の内部と連通している。
なお、説明の便宜上、本発明のより詳細な構成については後述するものとし、これまでに述べた事柄の作用を解説する。
【００３２】
図１の状態から、操作ヘッド７０を押し下げると、作動部材４０が第１コイルスプリング６６の付勢力に抗して下降して、第２逆止弁Ｖ２が開く。そうするとシリンダ３０内の液体が第２逆止弁Ｖ２、通液孔４４ｄ、ピストンガイドの縦管部４４ｂの内部を通って、吐出口７６から外部へ吐出される。なお、本発明では、操作ヘッド５０を押下げてから作動部材が下降するまでの間に後述の栓体が操作ヘッドに対して下降する行程があるが、これについては後で詳細に説明する。
【００３３】
操作ヘッド７０の押下げを解放すると、上記付勢力により作動部材４０が上昇する。この際に筒状ピストン４２は、シリンダ３０内面と摺接するために、ステム４６やピストンガイド４４に遅れて上昇する。従って筒状ピストン４２は、ピストンガイド４４などに比べて相対的に低くなり、よって第２逆止弁Ｖ２は閉じる。第２逆止弁Ｖ２が閉じた後も作動部材４０が上昇するために、シリンダ３０内が負圧化し、これにより第１逆止弁Ｖ１が開き、容器部３内の液体がシリンダ３０内へ吸引される。
【００３４】
本発明においては、まずステム４６の上端部から図３に示す如く下内方へ係止筒部５０を折り返す。この係止筒部５０は、上記ピストンガイド４４の縦管部４４ｂの上端内面に嵌着するとともに、係止筒部５０の内面から係止爪５０ａを内方突出している。
【００３５】
またステム４６の上端部から外向きフランジ５２を介してシール筒部５４を垂設し、さらにシール筒部５４の下端から延長板部５６を側外方へ延設している。
【００３６】
そして操作ヘッド７０の天板部７３の裏面から小径の連結筒部７５及び大径のストッパ筒部７４を二重筒状に垂下する。連結筒部７５の内面には上記シール筒部５４を液密に嵌合させるとともに、ストッパ筒部７４の内面に上記延長板部５６を当接している。この当接箇所には、回り止め手段Ｔを形成する。図示例では、回り止め手段Ｔを、延長板部５６の外面に付設した縦リブ６０と、ストッパ筒部７４の内面に形成した縦溝７４ａとで形成しているが、延長板部側に縦溝を、ストッパ筒部側に縦リブをそれぞれ形成しても構わない。
【００３７】
図示例では、シール筒部５４の上部にスカート状のシール部５４ａを形成し、このシール部５４ａを連結筒部７５の内面に摺動可能に密接させている。また図１に示す如く、図示の延長板部５６の外周部を内周部に比べて高く形成するとともに、その外周部裏面に環状の嵌合凹部５８を周設している。本実施形態で延長板部５６とシリンダ部材の底壁部２６との間に第１コイルスプリング６６を介装させているが、この第１コイルスプリング６６の下端部は上記抜止め用リブ２８ｂを縦設した補助筒部２８の外面に嵌着し、第１コイルスプリング６６の上端部は、上記嵌合凹部５８内に嵌挿させている。第１コイルスプリング６６は、金属又は合成樹脂により形成することができる。
【００３８】
上記ステム４６の上端部と天板部７３の吐出口７６との間には、吐出口７６を閉塞するための栓体８０を設ける。栓体８０は、図示例において、図３に示す如く、水平な栓板８２と、栓板８２の下面から垂下する栓筒８４とで形成されている。栓筒８４は、筒壁の周方向一部を切り欠いたものでも構わない。そして栓筒８４内に第２コイルスプリング９２の上端部を挿入するとともに、上記係止筒部５０の係止爪５０ａの上に第２コイルスプリング９２の下端を設置して栓体８０を上方へ付勢させている。図示例では、栓板８２の外周部８２ａに比べて栓板８２の中心部を上方へ突き出た栓部８２ｂに形成している。また上記外周部８２ａの上面は、その内側部分を環状水平面に、外側部分をテーパ状面に形成している。第２コイルスプリング９２の弾性力は、第１コイルスプリング６６より弱いものとする。第２コイルスプリング９２は、合成樹脂で形成することができる。
【００３９】
上記栓部８２ｂ及び吐出口７６の平面形状は円形としている。吐出口７６の周囲部分７８の下面は、栓板８２の外周部８２ａの形状に一致するように凹設されている。この下面は、栓体８０を押し下げるための押圧面Ｄとしての機能を有する。
【００４０】
栓体８０の栓板８２の下面からは、周方向に一定の間隔をとって上側第１係合突部８６を突設している。図示例では強度確保のために上側第１係合突部８６と栓筒８４とを一体化している（図５参照）。
【００４１】
さらにステム４６の上側の周端部からは、周方向に一定の間隔をおいて下側第１係合突部６４を上方突出している。
【００４２】
上側第１係合突部８６は、径方向から見て一辺が傾斜した台形状であり（図７（Ａ）参照）、その斜辺に対応して傾斜させた上側第１係合面Ｓ１Ｕを有する。各係合面は、周方向一方に向くように形成されている。同様に下側第１係合突部６４も、ステム４６の径方向から見て一辺が斜面である台形状であり、その斜辺に対応して傾斜させた下側第１係合面Ｓ１Ｌを有する。各係合面は、周方向他方に向くように形成されている。上側第１係合面Ｓ１Ｕ及び下側第１係合面Ｓ１Ｌは、操作ヘッド７０を押し下げたときに、相互にスライドして、栓体８０を回転させるように設ける。図示例では、上側第１係合面Ｓ１Ｕ及び下側第１係合面Ｓ１Ｌの傾斜角を等角としているが、必ずしも等角とする必要はない。さらに必ずしも両者を傾斜面とする必要はなく、例えば傾斜面と円弧面との組み合わせとしてもよい。
【００４３】
また上記栓体８０からは、図４に示す如く、アーム部８８を側外方へ水平に突出して、このアーム部８８の先部から下側第２係合突部９０を起立するとともに、天板部７３の裏面の対応位置から上側第２係合突部７９を垂下している。下側第２係合突部９０は下側第２係合面Ｓ２Ｌを、上側第２係合突部７９は上側第２係合面Ｓ２Ｕをそれぞれ有する。上側第２係合面Ｓ２Ｕ及び下側第１係合面Ｓ１Ｌは、栓体８０が回転したときに、相互にスライドして、栓体８０を回転させるように設ける。第２係合面の傾斜角度は、第１傾斜角の傾斜角度と同じとすればよい。また第１係合面の形態に係る記載は第２係合面に援用する。
【００４４】
第１係合面Ｓ１Ｕ、Ｓ１Ｌ及び第２係合面Ｓ２Ｕ、Ｓ２Ｌは、図２に点線で示すように、上方から見て相互に間隔をおいて、好ましくは等角的（図示例では９０°毎）に配置することが望ましい。
【００４５】
図６は、吐出作業の各段階を示し、同図（Ａ）は初期段階を、同図（Ｂ）は吐出口７６が開口する程度に操作ヘッド７０を押し下げた段階を、同図（Ｃ）は作動部材４０が下限位置に至るまで操作ヘッド７０を押し下げた段階を、それぞれ示している。
図７は、吐出作業の各段階における第１係合面Ｓ１Ｕ、Ｓ１Ｌ及び第２係合面Ｓ２Ｕ、Ｓ２Ｌの動作を示している。これらの図形は、各係合面をそれぞれ側外方見た形態を一平面に模式的に表したものである。
【００４６】
操作ヘッド７０を押し下げると、押圧面Ｄを介して栓体８０に押圧力Ｆが作用する（図７（Ａ）参照）。第１コイルスプリング６６の弾性力に比べて第２コイルスプリング９２の弾性力が小さいため、作動部材４０のうちまず栓体８０のみが下降する。栓体８０が下降して第１係合面Ｓ１Ｕ、Ｓ１Ｌ同士がスライドし、これら係合面から周方向への応力ｆ１が作用するので、栓体８０が周方向へ回転する。そして栓体８０が回転すると、第２係合面Ｓ２Ｕ、Ｓ２Ｌ同士がスライドし、これら係合面から下方への応力ｆ２が作用するので、栓体８０が天板部７３に対してさらに下降する。これにより図７（Ｂ）に示すように吐出口７６が開口する。この状態では、ポンプ容器の第２逆止弁Ｖ２は閉じたままである。図７（Ｂ）からさらに操作ヘッド７０を押し下げると、栓体８０は操作ヘッド７０に対して同図の状態から下がることができないため、第１コイルスプリング６６が圧縮し始める。それにより作動部材４０全体が下降し、第２逆止弁Ｖ２が開く。その後は通常のポンプ容器と同様の行程でポンプ作用を生ずる。
【００４７】
また操作ヘッド７０の押し下げを解放すると、第２コイルスプリング９２の弾性復元力により図７（Ｃ）→（Ｂ）→（Ａ）に示す手順で栓体８０は回転しながら、吐出口７６を閉鎖する位置へ復帰する。
【００４８】
また本発明では、ピストンガイド４４の下端部に、ピストンガイド４４の内部に形成される液体通路の内容積を調整する容積調整機構９４を設ける（図８参照）。このような機構を設ける理由は、前述の通り、本発明では、天板部７３の吐出口７６を、当該吐出口形成箇所の下側で昇降する栓体８０で開閉しているが、吐出口７６が閉栓されている状態で、吐出口７６から第２逆止弁Ｖ２に至る流路全体が非圧縮性である液体で充填された場合に、操作ヘッド７０を押し下げても、栓体８０が吐出口７６から離れないという不都合を生ずる可能性があるからである。
【００４９】
図示例の容積調整機構９４は、ピストンガイド４４の内部のうちの下端部を、残りの部分から仕切る水平な隔壁９６と、この隔壁９６の下端から突出した板バネ９８とで構成される。隔壁９６とピストンガイド４４の底板部４４ａとの間の空間は空気室である。この空間に液体が入らないように隔壁９６の周囲には筒状のシール壁部９６ａを付設し、このシール壁部９６ａを縦管部４４ｂの内面に摺動可能に密接させている。ピストンガイド４４の内部のうち隔壁９６の上面より上方の部分が、ピストンガイド内部の液体通路である。
【００５０】
操作ヘッド７０を押し下げて、図８に想像線で示すように板バネ９８が変形して隔壁９６が下降するので、ピストンガイド４４内の液体通路の内容積が増加するので、液圧の上昇を緩和することができ、栓体８０の下降を可能とする。
【００５１】
ポンプ容器の機構としてピストンガイドを用いないときには、同様の考え方で第２逆止弁Ｖ２から吐出口７６に至る通路の何れかに液体通路から隔壁で仕切られた空気室を形成し、その隔壁を液体流路の圧力を緩和するように支える弾性手段を設ければよい。 
【符号の説明】
【００５２】
２…容器体  ３…容器部  ４…胴部  ６…口頸部  ８…中皿  ８ａ…摺動部
１０…装着部材  １２…装着筒部  １４…折り返し筒部
２０…シリンダ部材  ２２…周壁部  ２４…鍔部  ２６…底壁部
２８…補助筒部  ２８ａ…縦リブ  ２８ｂ…抜止め用リブ
３０…シリンダ  ３０ａ…筒壁  ３０ｂ…内向きフランジ
３２…第１逆止弁体
３４…抜止め部材  ３４ａ…嵌着筒部  ３４ｂ…抜止め用筒部
３４ｃ…テーパ状筒部
４０…作動部材  ４１…縦筒部  ４２…筒状ピストン  ４２ａ…外筒部
４２ｂ…内筒部  ４２ｃ…連結部
４４…ピストンガイド  ４４ａ…底板部  ４４ｂ…縦管部  ４４ｃ…弁座
４４ｄ…通液孔
４６…ステム  ４８…大内径部  ５０…係止筒部  ５０ａ…係止爪
５２…外向きフランジ  ５４…シール筒部  ５４ａ…シール部
５６…延長板部  ５８…嵌合凹部  ６０…縦リブ
６２…当接筒部  ６４…下側第１係合突部
６６…第１コイルスプリング
７０…操作ヘッド  ７２…ヘッド周壁  ７２ａ…係止リブ  ７３…天板部
７４…ストッパ筒部７４ａ…縦溝  ７５…連結筒部  ７６…吐出口  ７８…周囲部分
７９…上側第２係合突部
８０…栓体  ８２…栓板  ８２ａ…外周部  ８２ｂ…栓部  ８４…栓筒
８６…上側第１係合突部  ８８…アーム部  ９０…下側第２係合突部
９２…第２コイルスプリング
９４…容積調整機構  ９６…隔壁  ９６ａ…シール壁部  ９８…板バネ
Ｄ…押圧面  Ｌ…液体通路  Ｐ…パッキン  Ｒ…液体通路
Ｓ１Ｌ、Ｓ１Ｕ…第１係合面
Ｓ２Ｌ、Ｓ２Ｕ…第２係合面
Ｔ…回り止め手段  Ｖ１…第１逆止弁  Ｖ２…第２逆止弁
【図１】
0006410317.tif 000002
【図２】
0006410317.tif 000003
【図３】
0006410317.tif 000004
【図４】
0006410317.tif 000005
【図５】
0006410317.tif 000006
【図６】
0006410317.tif 000007
【図７】
0006410317.tif 000008
【図８】
0006410317.tif 000009